(57)【要約】【課題】遊技場において、遊技者が遊技により獲得した獲得価値のうち購入を希望する煙草及び／又は煙草関連商品の販売額に相当する煙草購入用価値を成人識別記録媒体にチャージするようにした場合に、遊技場が該チャージされる煙草購入用価値に応じたチャージ価値に応じた手数料の支払を確実に受けることができるような、景品交換システムを提供する。【解決手段】ＰＯＳ端末は、獲得価値の計数値から購入を希望する煙草の販売額に相当する交換媒体数を減算し（Ｓ３４）、該減算する交換媒体数に相当する電子マネーを成人識別カードにチャージし（Ｓ４２）、該チャージする電子マネーであるチャージ額を特定可能な第１チャージ額情報を電子マネー管理機関の管理装置に送信する（Ｓ４３）。該管理装置は、第１チャージ額情報に含まれるチャージ額を管理し、これにより、該チャージ額に応じた手数料が遊技場に支払われる。【選択図】図７
2009254623.tif 000002
【特許請求の範囲】
【請求項１】
遊技場に設けられ、
遊技者が所有し、該遊技者が成人であることを識別するための成人識別情報が記録されており、煙草及び／又は煙草関連商品の購入にのみ使用可能な煙草購入用価値をチャージ可能な成人識別記録媒体を受け付ける成人識別記録媒体受付手段と、
該成人識別記録媒体受付手段により受け付けた成人識別記録媒体の成人識別情報に基づき前記遊技者が成人であると識別されたことを条件として、当該遊技者が遊技により獲得した獲得価値から購入を希望する煙草及び／又は煙草関連商品の販売額に相当する獲得価値を減算するための減算処理を行う減算処理手段と、
該減算処理により減算される獲得価値に相当する煙草購入用価値を前記成人識別記録媒体にチャージするためのチャージ処理を行うチャージ処理手段と、
該チャージ処理によりチャージされる煙草購入用価値に相当するチャージ価値を特定可能なチャージ価値情報を、前記煙草購入用価値を管理する管理機関が管理し、前記チャージ価値に応じた決済を行う管理装置に対して送信するための処理を行うチャージ価値情報送信手段と、を有する景品交換装置を備えることを特徴とする景品交換システム。
【請求項２】
請求項１に記載した景品交換システムであって、
前記減算処理手段は、前記成人識別記録媒体受付手段により受け付けた成人識別記録媒体の成人識別情報に基づき前記遊技者が成人であると識別されたことを条件として、前記獲得価値から前記販売額に相当する獲得価値に満たない端数価値を減算するための減算処理を行い、
前記チャージ処理手段は、該減算処理により減算される端数価値に相当する煙草購入用価値を前記成人識別記録媒体にチャージするためのチャージ処理を行うことを特徴とする景品交換システム。
【請求項３】
請求項１又は２に記載した景品交換システムであって、
前記遊技場が管理し、当該遊技場に設けられた前記景品交換装置で所定期間内にチャージされた前記煙草購入用価値に相当するチャージ価値を管理する遊技場管理装置をさらに備え、
前記チャージ価値情報送信手段は、前記チャージ価値情報を、前記遊技場管理装置に対して送信するための処理を行うことを特徴とする景品交換システム。
【請求項４】
請求項３に記載した景品交換システムであって、
前記遊技場管理装置は、前記管理しているチャージ価値に基づいて、該チャージ価値に応じて前記遊技場に支払われる手数料額を管理することを特徴とする景品交換システム。
【発明の詳細な説明】
【技術分野】
【０００１】
本発明は、遊技者が所有する成人識別記録媒体の成人識別情報に基づき該遊技者が成人であると識別されたことを条件として、当該遊技者が遊技により獲得した獲得価値のうち購入を希望する煙草及び／又は煙草関連商品の販売額に相当する煙草購入用価値を前記成人識別記録媒体にチャージするための処理を行う景品交換装置を備える景品交換システムに関する。
【背景技術】
【０００２】
従来より、特許文献１に示すように、遊技場に設けられ、成人識別部により成人識別記録媒体の記録情報を読み取り、該読み取った記録情報に基づき利用者が成人であると確認されたことを条件として、当該遊技者が遊技により獲得した獲得遊技媒体数から交換を希望する煙草の交換玉数を減算するＰＯＳレジスタを含む取引管理システムが知られている。また近年では、非特許文献１に示すように、煙草の購入にのみ使用可能な電子マネーを記憶する成人識別記録媒体も知られている。
【０００３】
【特許文献１】特開２００５−３３２１４９号公報（段落００５０，００５９）
【非特許文献１】http://www.taspo.jp/
【発明の開示】
【発明が解決しようとする課題】
【０００４】
しかしながら、遊技場において、特許文献１に示すＰＯＳレジスタにより減算した煙草の交換玉数に相当する電子マネーを、非特許文献１に示す成人識別記録媒体にチャージするようにした場合に、特許文献１に示す取引管理システムでは、該チャージ額に応じた手数料の支払について何ら考慮されていないため、遊技場は該手数料の支払を確実に受けることができないおそれがあった。
【０００５】
本発明は、このような背景のもとになされたものであり、その目的は、遊技場において、遊技者が遊技により獲得した獲得価値のうち購入を希望する煙草及び／又は煙草関連商品の販売額に相当する煙草購入用価値を成人識別記録媒体にチャージするようにした場合に、遊技場が該チャージされる煙草購入用価値に応じたチャージ価値に応じた手数料の支払を確実に受けることができるような、景品交換システムを提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技場に設けられ、遊技者が所有し、該遊技者が成人であることを識別するための成人識別情報が記録されており、煙草及び／又は煙草関連商品の購入にのみ使用可能な煙草購入用価値（電子マネー）をチャージ可能な成人識別記録媒体（成人識別カード２）を受け付ける成人識別記録媒体受付手段（カードＲ／Ｗ１７）と、該成人識別記録媒体受付手段により受け付けた成人識別記録媒体の成人識別情報に基づき前記遊技者が成人であると識別されたことを条件として、当該遊技者が遊技により獲得した獲得価値（パチンコ玉又はメダルの計数値）から購入を希望する煙草及び／又は煙草関連商品の販売額に相当する獲得価値（交換媒体数）を減算するための減算処理を行う減算処理手段（制御部１２）と、該減算処理により減算される獲得価値に相当する煙草購入用価値を前記成人識別記録媒体にチャージするためのチャージ処理を行うチャージ処理手段（カードＲ／Ｗ１７）と、該チャージ処理によりチャージされる煙草購入用価値に相当するチャージ価値を特定可能なチャージ価値情報（第１チャージ額情報）を、前記煙草購入用価値を管理する管理機関（電子マネー管理機関）が管理し、前記チャージ価値に応じた決済を行う管理装置（電子マネーサーバ３０）に対して送信するための処理を行うチャージ価値情報送信手段（通信部１１）と、を有する景品交換装置（ＰＯＳ端末１０）を備えることを特徴とする景品交換システム（１）である。
【０００８】
また請求項２に係る発明は、請求項１に記載した景品交換システム（１）であって、前記減算処理手段（制御部１２）は、前記成人識別記録媒体受付手段（カードＲ／Ｗ１７）により受け付けた成人識別記録媒体（成人識別カード２）の成人識別情報に基づき前記遊技者が成人であると識別されたことを条件として、前記獲得価値（パチンコ玉又はメダルの計数値）から前記販売額に相当する獲得価値に満たない端数価値（チャージ媒体数）を減算するための減算処理を行い、前記チャージ処理手段（カードＲ／Ｗ１７）は、該減算処理により減算される端数価値に相当する煙草購入用価値（電子マネー）を前記成人識別記録媒体にチャージするためのチャージ処理を行うことを特徴とする景品交換システムである。
【０００９】
また請求項３に係る発明は、請求項１又は２に記載した景品交換システム（１）であって、前記遊技場が管理し、当該遊技場に設けられた前記景品交換装置（ＰＯＳ端末１０）で所定期間（１ヶ月）内にチャージされた前記煙草購入用価値（電子マネー）に相当するチャージ価値（月間チャージ額）を管理する遊技場管理装置（２０）をさらに備え、前記チャージ価値情報送信手段（通信部１１）は、前記チャージ価値情報（第２チャージ額情報）を、前記遊技場管理装置に対して送信するための処理を行うことを特徴とする景品交換システムである。
【００１０】
さらに請求項４に係る発明は、請求項３に記載した景品交換システム（１）であって、前記遊技場管理装置（４０）は、前記管理しているチャージ価値（月間チャージ額）に基づいて、該チャージ価値に応じて前記遊技場に支払われる手数料額を管理することを特徴とする景品交換システムである。
【発明の効果】
【００１１】
まず請求項１に係る景品交換システムによれば、獲得価値と交換に煙草購入用価値が成人識別記録媒体にチャージされるので、遊技者の利便性が向上すると共に、該チャージされる煙草購入用価値に相当するチャージ価値を特定可能なチャージ価値情報が該チャージ価値に応じた決済を行う管理装置に対して送信されるので、遊技場は該チャージ価値に応じた手数料の支払を確実に受けることができる。
【００１２】
また請求項２に係る景品交換システムによれば、煙草及び／又は煙草関連商品の販売額に満たない端数価値が成人識別記録媒体にチャージされるので、遊技者の利便性が向上すると共に、該チャージされる端数価値に相当するチャージ価値を特定可能なチャージ価値情報が管理装置に対して送信されるので、遊技場は該チャージされる端数価値に応じた手数料の支払も確実に受けることができる。
【００１３】
また請求項３に係る景品交換システムによれば、所定期間内にチャージされた煙草購入用価値に相当するチャージ価値を管理する遊技場管理装置に対しても前記チャージ価値情報が送信されるので、チャージ価値を遊技場側でも確認することができる。
【００１４】
さらに請求項４に係る景品交換システムによれば、遊技場管理装置において、チャージ価値に応じて遊技場に支払われる手数料額が管理されるので、該手数料額を遊技場側でも確認することができる。
【発明を実施するための最良の形態】
【００１５】
以下、本発明の実施の形態を、図面を参照して説明する。本発明に係る景品交換システム１は、図１に示すように、遊技場に設けられるＰＯＳ端末１０及び遊技場管理装置２０を備えるものである。なお遊技場には、図示しないが、計数機（パチンコ玉計数機及びメダル計数機），計数値管理装置，及び景品管理装置も設けられている。また本例では、複数の遊技場Ａ，Ｂ，…が設けられているが、各遊技場に設けられる構成要素は同様であるため、以下においては、遊技場Ａについてのみ説明する。
【００１６】
各遊技場に設けられるＰＯＳ端末１０は、煙草の購入にのみ使用可能な煙草購入用価値である電子マネーを管理する電子マネー管理機関（例えばクレジットカード会社や金融機関等）に設けられる電子マネーサーバ３０と通信可能であり、該電子マネーサーバ３０は、遊技場や街中に設けられる煙草自動販売機４０と通信可能である。また景品交換システム１では、成人識別カード２，計数レシート３，及び煙草交換用バーコード表４が使用される。
【００１７】
以下、図１に示す各構成要素について説明する。なお、以下においては、リーダ／ライタを「Ｒ／Ｗ」，データベースを「ＤＢ」，ステップを「Ｓ」と略記する。
【００１８】
まず、成人識別カード２について説明する。成人識別カード２は成人識別記録媒体の一例であって、遊技者が所有し、該遊技者が成人であることを識別するための成人識別情報が記録されており、煙草の購入にのみ使用可能な煙草購入用価値である電子マネーをチャージ可能なものである。この成人識別カード２の表面には、図２に示すように、遊技者の氏名及び顔写真と、該成人識別カード２を個々に識別可能なカードＩＤ（ここではユニークな１６桁の数字）と、該成人識別カード２の有効期限（例えば該成人識別カード２の発行日から３年）とが記録される。
【００１９】
また成人識別カード２の内部には、図示しないが、ＩＣチップが内蔵されており、該ＩＣチップでは、成人識別情報，電子マネー額，及びカードＩＤを記憶している。ここで成人識別情報及びカードＩＤは、当該成人識別カード２の発行時に予め記憶されている。一方、電子マネー額は、当該成人識別カード２の発行時には記憶されておらず、煙草自動販売機４０又はＰＯＳ端末１０において当該成人識別カード２に対して電子マネーがチャージされた時に加算更新され、煙草自動販売機４０において煙草の購入に使用された時に減算更新される。
【００２０】
このＩＣチップは、ＣＰＵ，ＲＡＭ，ＲＯＭ，ＥＥＰＲＯＭ，通信モジュール等を備えており、ＥＥＰＲＯＭでは、前記各情報が記憶される。このＩＣチップは、外部のカードＲ／Ｗからの電磁波による電磁誘導によって電力が供給されて作動することにより、ＲＯＭ（あるいはＥＥＰＲＯＭ）に記憶されている処理プログラムがＲＡＭを作業領域としてＣＰＵで実行され、カードＲ／Ｗからの電磁波である搬送波を当該ＩＣチップやカードＲ／Ｗが変調させることによって、当該ＩＣチップとカードＲ／Ｗとの間における通信が行われる。
【００２１】
この成人識別カード２は、遊技者が、該遊技者の属性情報（氏名，住所，電話番号，及び生年月日）を記入した申込用紙と、該遊技者の顔写真と、該遊技者が成人であることを証明する書類（例えば運転免許証，各種健康保険証，住民基本台帳カード，各種年金手帳，各種福祉手帳，外国人登録証明書，又は住民票のコピー等）とを、成人識別システムを運営する成人識別システム運営機関（図示外）に送付すると、当該成人識別システム運営機関による審査（成人であること，及び二重発行でないこと等）の後に発行されて、前記住所に送付される。
【００２２】
そして成人識別システム運営機関では、該発行された成人識別カード２のカードＩＤに対応付けて、発行対象である遊技者の属性情報と、発行日と、有効期限とが管理される。また電子マネーサーバ３０では、図８（ａ）に示す電子マネーＤＢにおいて、該発行された成人識別カード２のカードＩＤに対応付けて、該成人識別カード２のＩＣチップに記憶される電子マネー額が管理される。
【００２３】
次に、計数レシート３について説明する。計数レシート３は、遊技者が、遊技機（パチンコ機又はスロットマシン）での遊技により獲得した獲得価値である獲得遊技媒体（パチンコ玉又はメダル）を計数機（図示外）により計数すると、該計数機により紙に印刷されて遊技者に対して発行される記録媒体であり、図３に示すように、遊技場名と、当該計数を個々に識別可能な計数ＩＤと、当該計数が行われた計数日時と、当該計数による獲得遊技媒体の計数値と、計数ＩＤ及び計数値を示すバーコードとが記録される。そして計数値管理装置（図示外）では、該発行された計数レシート３の計数ＩＤに対応付けて、該計数レシート３に記録される計数値が管理される。
【００２４】
次に、煙草交換用バーコード表４について説明する。煙草交換用バーコード表４は、予め電子マネー管理機関が作成して各遊技場に配布するものであり、図４に示すように、遊技場は提供しないが煙草自動販売機４０で購入可能な複数の煙草の各々について、各煙草のパッケージ写真，銘柄，販売額，及び交換媒体数（交換玉数及び交換メダル数）と、当該煙草の銘柄を識別可能な銘柄識別情報であるＪＡＮコードを内在する情報記録シンボルであるバーコードとが示される。
【００２５】
次に、ＰＯＳ端末１０について説明する。ＰＯＳ端末１０は景品交換装置の一例であって、遊技場内における景品交換カウンタに設けられ、図５に示すように、遊技者用端末１０ａと店員用端末１０ｂとが接続されてなるコンピュータである。ここで遊技者用端末１０ａには、その表面に遊技者用表示部１３，及び近接部１７ａが設けられ、その内部にカードＲ／Ｗ１７が設けられており、店員用端末１０ｂには、その内部に通信部１１，及び制御部１２が設けられており、店員用表示部１４，店員用操作部１５，及びバーコードリーダ１６が接続されている。そしてＰＯＳ端末１０に設けられる各機器は、図１に示すように接続される。
【００２６】
通信部１１は、前述の如く、遊技場管理装置２０及び電子マネーサーバ３０と通信可能に接続されている。制御部１２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、ＰＯＳ端末１０に備えられる各構成要素の動作を制御して各種の処理を行うものである。
【００２７】
この制御部１２のＥＥＰＲＯＭでは、図６に示す景品ＤＢを記憶している。この景品ＤＢでは、遊技場が提供する複数の一般景品（即ち煙草以外の景品）の各々について、各景品に付されているバーコードが内在するＪＡＮコードに対応付けて、当該景品の景品名，販売額，及び交換媒体数（交換玉数と交換メダル数）が記憶される。ここでＪＡＮコードは、各景品に付されているバーコードをバーコードリーダ１６で読み取ることにより記憶され、景品名，販売額，及び交換媒体数は、店員用操作部１５から遊技場の店員の操作により入力されて記憶される。
【００２８】
また景品ＤＢでは、遊技場は提供しないが煙草自動販売機４０で購入可能な複数の煙草の各々について、各煙草に付されているバーコードが内在するＪＡＮコードに対応付けて、当該煙草の銘柄，販売額，及び交換媒体数（交換玉数と交換メダル数）が記憶される。ここでＪＡＮコードは、煙草交換用バーコード表４に示されているバーコードをバーコードリーダ１６で読み取ることにより記憶され、銘柄，販売額，及び交換媒体数は、煙草交換用バーコード表４に示されているそれらが店員用操作部１５から遊技場の店員の操作により入力されて記憶される。
【００２９】
遊技者用表示部１３は、制御部１２のＥＥＰＲＯＭが記憶している計数値を遊技者に対して表示するものであり、例えば液晶ディスプレイである。店員用表示部１４は、制御部１２のＥＥＰＲＯＭが記憶している計数値を遊技場の店員に対して表示すると共に、各種の情報を遊技場の店員に対して表示するものであり、例えば液晶ディスプレイである。店員用操作部１５は、遊技場の店員から各種の情報の入力を受け付けるものであり、例えばキーボードやマウスである。バーコードリーダ１６は、計数レシート３に示されているバーコード，一般景品に付されているバーコード，及び煙草交換用バーコード表４に示されているバーコードを読み取るものである。
【００３０】
カードＲ／Ｗ１７は成人識別記録媒体受付手段の一例であって、近接部１７ａに近接された成人識別カード２を受け付けて、該受け付けた成人識別カード２のＩＣチップから成人識別情報，電子マネー額，及びカードＩＤを読み取るものである。またカードＲ／Ｗ１７はチャージ処理手段の一例であって、後述する減算処理により減算される獲得価値（図７のＳ３４に示す交換媒体数）や端数価値若しくは任意の価値（同Ｓ３７に示すチャージ媒体数）に相当する煙草購入用価値（即ち電子マネー）を成人識別カード２にチャージするためのチャージ処理を行うものである。
【００３１】
具体的には、カードＲ／Ｗ１７は、「ＴＯＵＣＨ」と表示されている近接部１７ａを中心とした半球型の空間に向けて、成人識別カード２のＩＣチップにアクセスするための電磁波を発信しており、成人識別カード２が近接部１７ａに近接される（かざされる）ことにより当該空間に入ってくると、該成人識別カード２のＩＣチップから、成人識別情報，電子マネー額，及びカードＩＤを読み取り、また該ＩＣチップに、電子マネーをチャージする（書き込む）。
【００３２】
ここで図７を参照して、ＰＯＳ端末１０が行う処理について説明する。なお、以下の説明において、待機状態で予め設定された所定時間が経過した場合には、該待機状態を解除して、図７に示す処理を終了するものとする。
【００３３】
まずＰＯＳ端末１０は、計数レシート３に示されているバーコードのバーコードリーダ１６による読取（Ｓ０１）を待機し、該Ｓ０１で読取が有ると（ＹＥＳ）、該読み取ったバーコードが示す計数ＩＤ及び計数値を含む計数値確認要求を計数値管理装置（図示外）に対して送信する。計数値管理装置は、該計数値確認要求を受信すると、該計数値確認要求に含まれる計数ＩＤ及び計数値と前記管理している計数ＩＤ及び計数値とが一致するか否かを確認し、一致する場合には確認ＯＫ通知をＰＯＳ端末１０に対して送信し、一致しない場合には確認ＮＧ通知をＰＯＳ端末１０に対して送信する。
【００３４】
ＰＯＳ端末１０は、Ｓ０２の処理を行うと、計数値管理装置から送信されてくる確認ＯＫ通知の受信（Ｓ０３），又は確認ＮＧ通知の受信（Ｓ０４）を待機する。このＳ０４で確認ＮＧ通知の受信が有ると（ＹＥＳ）、計数値に異常がある旨を遊技者用表示部１３及び店員用表示部１４に表示して（Ｓ０５）、処理を終了する。一方、Ｓ０３で確認ＯＫ通知の受信が有ると（ＹＥＳ）、計数値を制御部１２のＲＡＭで記憶すると共に、該計数値を遊技者用表示部１３及び店員用表示部１４に表示して（Ｓ０６）、計数値を一般景品と交換するための処理を行う景品交換モードの選択（Ｓ０７），計数値を電子マネーとしてチャージするための処理を行うチャージモードの選択（Ｓ０８），又は処理終了操作（Ｓ０９）を待機する。
【００３５】
このＳ０７で景品交換モードの選択が有ると（ＹＥＳ）、モード終了操作（Ｓ１１），又は交換を希望する景品に付されているバーコードのバーコードリーダ１６による読取（Ｓ１２）を待機する。このＳ１２で読取が有ると（ＹＥＳ）、制御部１２のＲＡＭで記憶している計数値が、該読み取ったバーコードが内在するＪＡＮコードに対応付けて景品ＤＢ（図６）で記憶している交換媒体数以上であるか否かを判定する（Ｓ１３）。このＳ１３で計数値が交換媒体数以上である（ＹＥＳ）と判定された場合には、該計数値から交換媒体数を減算すると共に（Ｓ１４）、遊技者用表示部１３及び店員用表示部１４で表示している計数値を減算後の計数値に更新して、Ｓ１１に戻る。一方、Ｓ１３で計数値が交換媒体数未満である（ＮＯ）と判定された場合にも、Ｓ１１に戻る。このＳ１１でモード終了操作が有ると（ＹＥＳ）、Ｓ０７に戻る。
【００３６】
なお同一の複数の景品との交換を希望する場合には、Ｓ１２でバーコードの読取を行った後に、交換を希望する個数の指定を受け付け、Ｓ１３で計数値が交換媒体数×指定個数以上であるか否かを判定するようにしても良い。
【００３７】
前記Ｓ０８でチャージモードの選択が有ると（ＹＥＳ）、成人識別カード２のカードＲ／Ｗ１７による受付（Ｓ２１）を待機し、該Ｓ２１で受付が有ると（ＹＥＳ）、該受け付けた成人識別カード２のＩＣチップから成人識別情報，電子マネー額，及びカードＩＤを読み取って、該読み取った成人識別情報に基づき遊技者が成人であるか否かを判定する（Ｓ２２）。このＳ２２で成人でない、即ち成人識別ＮＧである（ＮＯ）と判定された場合には、Ｓ０７に戻る。一方、Ｓ２２で成人である、即ち成人識別ＯＫである（ＹＥＳ）と判定された場合には、煙草の販売額に相当する電子マネーをチャージするための販売額チャージの選択（Ｓ２３），計数値のうちの任意の媒体数であるチャージ媒体数に相当する電子マネーをチャージするための媒体数指定チャージの選択（Ｓ２４），又はモード終了操作（Ｓ２５）を待機する。
【００３８】
このＳ２３で販売額チャージの選択が有ると（ＹＥＳ）、読取終了操作（Ｓ３１），又は煙草交換用バーコード表４に示されているバーコードのうち購入を希望する煙草に対応するバーコードのバーコードリーダ１６による読取（Ｓ３２）を待機する。このＳ３２で読取が有ると（ＹＥＳ）、制御部１２のＲＡＭで記憶している計数値（即ち遊技者が遊技により獲得した獲得価値）が、該読み取ったバーコードが内在するＪＡＮコードに対応付けて景品ＤＢ（図６）で記憶している交換媒体数（即ち購入を希望する煙草の販売額に相当する獲得価値）以上であるか否かを判定する（Ｓ３３）。このＳ３３で計数値が交換媒体数以上である（ＹＥＳ）と判定された場合には、該計数値から交換媒体数を減算すると共に（Ｓ３４）、遊技者用表示部１３及び店員用表示部１４で表示している計数値を減算後の計数値に更新して、Ｓ３１に戻る。一方、Ｓ３３で計数値が交換媒体数未満である（ＮＯ）と判定された場合にも、Ｓ３１に戻る。このＳ３１で読取終了操作が有ると（ＹＥＳ）、Ｓ４１に進む。
【００３９】
ここでＳ３４の処理を行う制御部１２は減算処理手段の一例であって、カードＲ／Ｗ１７により受け付けた成人識別カード２の成人識別情報に基づき遊技者が成人であると識別されたこと（Ｓ２２でＹＥＳと判定されたこと）を条件として、当該遊技者が遊技により獲得した獲得価値（即ち計数値）から購入を希望する煙草の販売額に相当する獲得価値（即ち交換媒体数）を減算するための減算処理を行うものである。
【００４０】
なお同一銘柄の複数の煙草の購入を希望する場合には、Ｓ３２でバーコードの読取を行った後に、購入を希望する個数の指定を受け付け、Ｓ３３で計数値が交換媒体数×指定個数以上であるか否かを判定するようにしても良い。
【００４１】
前記Ｓ２４で媒体数指定チャージの選択が有ると（ＹＥＳ）、電子マネーとしてチャージする価値であるチャージ媒体数の指定を待機する（Ｓ３５）。ここでチャージ媒体数としては、煙草の販売額に満たない端数価値を指定可能であると共に、煙草の販売額と無関係に任意の価値も指定可能である。一般的には、Ｓ１１〜Ｓ１４の景品交換モード及び／又はＳ３１〜Ｓ３４の販売額チャージを経てＳ３５に進んできた場合には、該景品交換モード及び／又は販売額チャージで使用されなかった端数価値（例えば残りの計数値３３玉の全部）がチャージ媒体数として指定され、該景品交換モードや販売額チャージを経ずにＳ３５に進んできた場合には、当初の計数値のうちの任意の価値（例えば計数値３２２４玉中の２０００玉）がチャージ媒体数として指定される。
【００４２】
このＳ３５でチャージ媒体数の指定が有ると（ＹＥＳ）、制御部１２のＲＡＭで記憶している計数値が、該指定されたチャージ媒体数以上であるか否かを判定する（Ｓ３６）。このＳ３６で計数値がチャージ媒体数以上である（ＹＥＳ）と判定された場合には、該計数値からチャージ媒体数を減算すると共に（Ｓ３７）、遊技者用表示部１３及び店員用表示部１４で表示している計数値を減算後の計数値に更新して、Ｓ４１に進む。一方、Ｓ３６で計数値がチャージ媒体数未満である（ＮＯ）と判定された場合には、Ｓ３５に戻る。
【００４３】
ここでＳ３７の処理を行う制御部１２は減算処理手段の一例であって、カードＲ／Ｗ１７により受け付けた成人識別カード２の成人識別情報に基づき遊技者が成人であると識別されたこと（Ｓ２２でＹＥＳと判定されたこと）を条件として、当該遊技者が遊技により獲得した獲得価値（即ち計数値）から煙草の販売額に満たない端数価値又は任意の価値（即ちチャージ媒体数）を減算するための減算処理を行うものである。
【００４４】
Ｓ４１では、前記Ｓ２１で受け付けたのと同一の成人識別カード２のカードＲ／Ｗ１７による受付を待機し、該Ｓ４１で受付が有る（ＹＥＳ）、即ち該受け付けた成人識別カード２のＩＣチップから読み取ったカードＩＤが前記Ｓ２１で読み取ったカードＩＤと同一であると、Ｓ４２で、該受け付けた成人識別カード２に電子マネーをチャージして、Ｓ４３に進む。
【００４５】
具体的には、Ｓ３４の減算処理が行われた場合には、該減算処理により減算された交換媒体数に相当する電子マネー額を、Ｓ４１で受け付けた成人識別カード２にチャージする。このＳ４２の処理を行うカードＲ／Ｗ１７はチャージ処理手段の一例であって、減算処理により減算される獲得価値（即ち交換媒体数）に相当する煙草購入用価値（即ち電子マネー）を成人識別カード２にチャージするためのチャージ処理を行うものである。これによれば、獲得価値と交換に煙草購入用価値が成人識別カード２にチャージされるので、遊技者の利便性が向上する。
【００４６】
一方、Ｓ３７の減算処理が行われた場合には、該減算処理により減算されたチャージ媒体数に相当する電子マネー額を、Ｓ４１で受け付けた成人識別カード２にチャージする。このＳ４２の処理を行うカードＲ／Ｗ１７はチャージ処理手段の一例であって、減算処理により減算される端数価値（即ちチャージ媒体数）に相当する煙草購入用価値（即ち電子マネー）を成人識別カード２にチャージするためのチャージ処理を行うものである。これによれば、煙草の販売額に満たない端数価値が成人識別カード２にチャージされるので、遊技者の利便性が向上する。特に獲得価値を貯蓄できる貯蓄システム（いわゆる貯玉，貯メダル）を採用していない場合であっても、煙草の販売額未満であって一般景品と交換できない端数価値を電子マネーとしてチャージすることができるので、遊技者が損をすることがない。また、任意の価値が成人識別カード２にチャージされるので、遊技者の利便性が向上する。
【００４７】
Ｓ４３では、Ｓ４２のチャージ処理によりチャージされた電子マネーに相当するチャージ額と、Ｓ４１で読み取ったカードＩＤと、ＰＯＳ端末１０が設けられる遊技場を特定可能な情報とを含む第１チャージ額情報を電子マネーサーバ３０に対して送信して、Ｓ４４に進む。このＳ４３の処理を行う通信部１１はチャージ価値情報送信手段の一例であって、前記チャージ処理によりチャージされる煙草購入用価値（即ち交換媒体数に相当する電子マネー），又は端数価値若しくは任意の価値（即ちチャージ媒体数に相当する電子マネー）に相当するチャージ価値を特定可能なチャージ価値情報を電子マネーサーバ３０に対して送信するための処理を行うものである。
【００４８】
Ｓ４４では、Ｓ４２のチャージ処理によりチャージされた電子マネーに相当するチャージ額と、Ｓ４１で読み取ったカードＩＤとを含む第２チャージ額情報を遊技場管理装置２０に対して送信して、Ｓ２３に戻る。このＳ４４の処理を行う通信部１１はチャージ価値情報送信手段の一例であって、前記チャージ処理によりチャージされる煙草購入用価値（即ち交換媒体数に相当する電子マネー），又は端数価値若しくは任意の価値（即ちチャージ媒体数に相当する電子マネー）に相当するチャージ価値を特定可能なチャージ価値情報を遊技場管理装置２０に対して送信するための処理を行うものである。
【００４９】
前記Ｓ２５でモード終了操作が有ると（ＹＥＳ）、Ｓ０７に戻る。また前記Ｓ０９で処理終了操作が有ると（ＹＥＳ）、Ｓ０１で読み取った計数ＩＤと、Ｓ１２又はＳ１３で読み取ったＪＡＮコードと、Ｓ１４，Ｓ３４，又はＳ３７の減算処理で減算した獲得価値とを含む処理終了情報を、計数値管理装置（図示外）及び景品管理装置（図示外）に送信して（Ｓ１０）、処理を終了する。計数値管理装置は、処理終了情報を受信すると、該処理終了情報に含まれる計数ＩＤ及び該計数ＩＤに対応する計数値を消去する。また景品管理装置は、処理終了情報を受信すると、該処理終了情報に含まれるＪＡＮコードの景品が交換された旨を管理すると共に、該処理終了情報に含まれる減算した獲得価値を管理する。
【００５０】
次に、電子マネーサーバ３０について説明する。電子マネーサーバ８０は管理装置の一例であって、煙草購入用価値（電子マネー）を管理する電子マネー管理機関が管理し、チャージ価値に応じた決済を行うものであり、図示しないが、通信部，制御部，ディスプレイ，入力装置，及びハードディスク等を備えているコンピュータである。この電子マネーサーバ３０は、図８（ａ）に示す電子マネーＤＢと、図８（ｂ）に示すチャージ額ＤＢと、図８（ｃ）に示す決済ＤＢとを記憶している。
【００５１】
図８（ａ）に示す電子マネーＤＢでは、カードＩＤに対応付けて、当該カードＩＤの成人識別カード２のＩＣチップで記憶している電子マネー額を管理している。この電子マネーＤＢでは、各遊技場に設けられるＰＯＳ端末１０から図７のＳ４３に示す第１チャージ額情報を受信すると、該第１チャージ額情報に含まれるカードＩＤに対応付けて管理している電子マネー額に該第１チャージ額情報に含まれるチャージ額を加算する。なお煙草自動販売機４０との通信に基づく電子マネー額の加減算については後述する。
【００５２】
図８（ｂ）に示すチャージ額ＤＢでは、各遊技場毎のデータテーブルが設けられており、各データテーブルでは、１日毎に、電子マネーのチャージが行われた成人識別カード２のカードＩＤと該チャージされた電子マネーであるチャージ額とが対応付けて記憶されると共に、該チャージ額の当日合計が記憶される。このチャージ額ＤＢでは、各遊技場に設けられるＰＯＳ端末１０から図７のＳ４３に示す第１チャージ額情報を受信すると、該第１チャージ額情報が示す遊技場のデータテーブルにおいて、当日の記憶欄に、該第１チャージ額情報に含まれるカードＩＤとチャージ額とを記憶して、当日合計を更新する。
【００５３】
図８（ｃ）に示す決済ＤＢでは、各遊技場について、決済月毎に、当該決済月の月初から月末までのチャージ額の当日合計を合算した合計チャージ額と、該合計チャージ額に応じた手数料額とが記憶される。ここで手数料額は、合計チャージ額×予め定められた手数料率（例えば１％）の式で算出される。この決済ＤＢは、各遊技場に設けられたＰＯＳ端末１０で所定期間（１ヶ月）内にチャージされた煙草購入用価値（電子マネー）に相当するチャージ額を管理するものである。この決済ＤＢで記憶している合計チャージ額が、遊技場の決済口座から引き落とされる一方、該決済ＤＢで記憶している手数料額が、遊技場の決済口座に振り込まれて支払われる。
【００５４】
以上に説明したように、チャージされる煙草購入用価値又は端数価値に相当するチャージ価値を特定可能なチャージ価値情報（図７のＳ４３）が、ＰＯＳ端末１０から該チャージ価値に応じた決済を行う電子マネーサーバ３０に対して送信されるので、遊技場は該チャージ価値に応じた手数料の支払を確実に受けることができる。
【００５５】
次に、遊技場管理装置２０について説明する。遊技場管理装置２０は、遊技場が管理し、当該遊技場に設けられたＰＯＳ端末１０で所定期間内（１ヶ月）内にチャージされた煙草購入用価値（電子マネー）に相当するチャージ額を管理するものであり、図示しないが、通信部，制御部，ディスプレイ，入力装置，及びハードディスク等を備えているコンピュータである。この遊技場管理装置２０は、図９（ａ）に示すチャージ額ＤＢと、図９（ｂ）に示す決済ＤＢとを記憶している。
【００５６】
図９（ａ）に示すチャージ額ＤＢでは、１日毎に、電子マネーのチャージが行われた成人識別カード２のカードＩＤと該チャージされた電子マネーであるチャージ額とが対応付けて記憶されると共に、該チャージ額の当日合計が記憶される。このチャージ額ＤＢでは、当該遊技場に設けられるＰＯＳ端末１０から図７のＳ４４に示す第２チャージ額情報を受信すると、当日の記憶欄に、該第２チャージ額情報に含まれるカードＩＤとチャージ額とを記憶して、当日合計を更新する。
【００５７】
図９（ｂ）に示す決済ＤＢでは、決済月毎に、当該決済月の月初から月末までのチャージ額の当日合計を合算した合計チャージ額と、該合計チャージ額に応じた手数料額とが記憶される。ここで手数料額は、合計チャージ額×予め定められた手数料率（例えば１％）の式で算出される。この決済ＤＢは、各遊技場に設けられたＰＯＳ端末１０で所定期間（１ヶ月）内にチャージされた煙草購入用価値（電子マネー）に相当するチャージ額を管理するものである。
【００５８】
以上に説明したように、チャージされる煙草購入用価値又は端数価値に相当するチャージ価値を特定可能なチャージ価値情報（図７のＳ４４）が、ＰＯＳ端末１０から遊技場管理装置２０に対しても送信されるので、チャージ価値を遊技場側でも確認することができる。そして遊技場管理装置２０において、チャージ価値に応じて遊技場に支払われる手数料額が管理されるので、該手数料額を遊技場側でも確認することができる。これにより、電子マネー管理機関から遊技場の決済口座に振り込まれて支払われた手数料額が正確であるか否かを確認することができる。
【００５９】
次に、煙草自動販売機４０について説明する。煙草自動販売機４０は、図１０に示すように、その表面に煙草選択ボタン４３，紙幣挿入口４４ａ，硬貨投入口４６ａ，近接部４７ａ，チャージボタン４７ｂ，及び煙草取出口４８ａ等を備え、その内部に通信部４１，制御部４２，紙幣識別機４４，硬貨識別機４５，硬貨返却機４６，カードＲ／Ｗ４７，及び煙草ストッカ４８等を備え、これらの各構成要素は図１に示すように接続されている。
【００６０】
通信部４１は、電子マネーサーバ３０と無線（例えば携帯電話回線）を介して通信可能である。制御部４２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、煙草自動販売機４０に備えられる各構成要素の動作を制御して各種の処理を行うものである。煙草選択ボタン４３は、購入を希望する煙草の選択を受け付けるボタンである。
【００６１】
紙幣識別機４４は、紙幣挿入口４４ａから挿入された紙幣を受け付けて、該受け付けた紙幣が正規の紙幣であるか否か（即ち受付可能な金種の紙幣であるか否か）を識別するものである。この紙幣識別機４４は、１０００円紙幣のみを受付可能である。この紙幣識別機４４で正規の紙幣であると識別されて取り込まれた紙幣は、該紙幣識別機４４の背後に設けられる紙幣収納部４４ｂに収納される。なお正規の紙幣でないと識別された紙幣は、紙幣挿入口４４ａから返却される。
【００６２】
硬貨識別機４５は、硬貨投入口４５ａから投入された硬貨を受け付けて、該受け付けた硬貨が正規の硬貨であるか（即ち受付可能な金種の硬貨であるか否か）を識別するものである。この硬貨識別機４５は、１０円硬貨，５０円硬貨，１００円硬貨，及び５００円硬貨を受付可能である。この硬貨識別機４５で正規の硬貨であると識別された硬貨は、該硬貨識別機４５の下方に設けられる硬貨返却機４６に収納される。なお正規の硬貨でないと識別された硬貨は、硬貨返却口４５ａから返却される。硬貨返却機４６は、釣銭がある場合に、該釣銭を返却するものでもある。
【００６３】
カードＲ／Ｗ４７は、近接部４７ａに近接された成人識別カード２を受け付けて、該受け付けた成人識別カード２のＩＣチップから成人識別情報，電子マネー額，及びカードＩＤを読み取るものであり、また煙草の購入が行われたことに基づいて、成人識別カード２のＩＣチップで記憶している電子マネーを減算するものであり、さらに入金が行われたことに基づいて、成人識別カード２のＩＣチップに該入金された金額に相当する電子マネーをチャージするものである。このカードＲ／Ｗ４７の具体的な作用は、前記カードＲ／Ｗ１７と同様である。
【００６４】
チャージボタン４７ｂは、電子マネーのチャージを行う操作を受け付けるボタンである。煙草ストッカ４８は、販売する煙草をストックしておくものである。
【００６５】
この煙草自動販売機４０において、現金を使用して煙草を購入する場合には、該煙草自動販売機４０は、紙幣識別機４４により紙幣を受け付けるか、又は硬貨識別機４５により硬貨を受け付けて、該受付額の範囲内で購入を希望する煙草に対応する煙草選択ボタン４３の操作を受け付け、カードＲ／Ｗ４７により成人識別カード２を受け付ける。該受け付けた成人識別カード２から読み取った成人識別情報に基づく成人識別がＯＫならば、前記操作を受け付けた煙草選択ボタン４３に対応する煙草を煙草ストッカ４８から煙草取出口４８ａに供給し、釣銭が有る場合には該釣銭を硬貨返却機４６から硬貨返却口４６ａに返却する。
【００６６】
また煙草自動販売機４０において、電子マネーを使用して煙草を購入する場合には、該煙草自動販売機４０は、購入を希望する煙草に対応する煙草選択ボタン４３の操作を受け付けて、カードＲ／Ｗ４７により成人識別カード２を受け付ける。該受け付けた成人識別カード２から読み取った成人識別情報に基づく成人識別がＯＫならば、該成人識別カード２のＩＣチップで記憶している電子マネーから前記操作を受け付けた煙草選択ボタン４３に対応する煙草の販売額を減算して、該煙草を煙草ストッカ４８から煙草取出口４８ａに供給する。なお煙草自動販売機４０は、成人識別カード２のカードＩＤと減算額とを記憶しておき、該記憶しているカードＩＤと減算額とを所定のタイミングで電子マネーサーバ３０に対して送信し、電子マネーサーバ３０は、煙草自動販売機４０から受信したカードＩＤに対応付けて電子マネーＤＢで記憶している電子マネー額から該受信した減算額を減算する。
【００６７】
この電子マネーを使用した煙草の購入では、図４に示す煙草交換用バーコード表４から読み取ったバーコードに対応する銘柄に拘わらず、当該電子マネーを使用していずれの銘柄の煙草であっても購入可能である。即ち煙草交換用バーコード表４から銘柄に対応するバーコードを読み取るのは、遊技者が購入を希望する煙草を選択する際の便宜を図るためであり、購入可能な煙草の銘柄を拘束するものではない。
【００６８】
さらに煙草自動販売機４０において、電子マネーをチャージする場合には、チャージボタン４７ｂの操作を受け付け、紙幣識別機４４により紙幣を受け付けて、カードＲ／Ｗ４７により成人識別カード２を受け付けると、成人識別は行わずに、該成人識別カード２のＩＣチップで記憶している電子マネーに受付額を加算する。なお煙草自動販売機４０は、成人識別カード２のカードＩＤと加算額とを記憶しておき、該記憶しているカードＩＤと加算額とを所定のタイミングで電子マネーサーバ３０に対して送信し、電子マネーサーバ３０は、煙草自動販売機４０から受信したカードＩＤに対応付けて電子マネーＤＢで記憶している電子マネー額に対して該受信した加算額を加算する。
【００６９】
以上に説明したように、本実施例によれば、獲得価値と交換に煙草購入用価値又は端数価値（電子マネー）が成人識別カード２にチャージされ、該チャージされた電子マネーを使用して、煙草自動販売機４０で煙草を購入することができるので、遊技場は、景品としての煙草を仕入れて管理する必要が無く、該煙草の仕入れ及び管理の手間やコストをなくすことができる。
【００７０】
最後に、本発明の変形例について説明する。
【００７１】
上記の実施形態では、図１に示すように、管理装置（電子マネーサーバ３０）が管理機関（電子マネー管理機関）に設けられる例について説明したが、これに限らず、該管理装置は、管理機関が管理するものであれば、管理機関以外の場所に設けられるものであっても良い。
【００７２】
上記の実施形態では、図１に示すように、遊技場管理装置２０が遊技場に設けられる例について説明したが、これに限らず、該遊技場管理装置２０は、遊技場が管理するものであれば、遊技場以外の場所に設けられるものであっても良い。
【００７３】
上記の実施形態では、図２に示すように、成人識別記録媒体（成人識別カード２）がカード型である例について説明したが、これに限らず、該成人識別記録媒体はコイン型であっても良い。また成人識別記録媒体は、遊技者が所有し、財布機能を有するＩＣチップを内蔵する携帯端末（例えば携帯電話）であっても良く、この場合には、該ＩＣチップに成人識別情報を記憶させることにより、当該携帯端末が成人識別記録媒体として機能するようにしても良い。
【００７４】
上記の実施形態では、獲得価値（計数値）と交換に購入を希望する煙草の販売額に相当する獲得価値（交換媒体数）を減算し、該減算する獲得価値に相当する煙草購入用価値（電子マネー）を成人識別記録媒体（成人識別カード２）にチャージする例について説明したが、これに限らず、獲得価値と交換に購入を希望する煙草関連商品（例えばライター，携帯灰皿等）の販売額に相当する獲得価値を減算するようにしても良い。即ち減算処理手段は、成人識別記録媒体受付手段（カードＲ／Ｗ１７）により受け付けた成人識別記録媒体の成人識別情報に基づき遊技者が成人であると識別されたことを条件として、当該遊技者が遊技により獲得した獲得価値から購入を希望する煙草及び／又は煙草関連商品の販売額に相当する獲得価値を減算するための減算処理を行うものであれば良い。
【００７５】
上記の実施形態では、獲得価値が、遊技機（パチンコ機又はスロットマシン）での遊技により獲得した遊技媒体（パチンコ玉又はメダル）である例について説明したが、これに限らず、該獲得価値は、遊技機が得点データを使用して遊技を行うものである場合には、該特典データであっても良い。
【００７６】
上記の実施形態では、獲得価値が、獲得遊技媒体（パチンコ玉又はメダル）を計数した計数値である例について説明したが、これに限らず、該獲得価値は、獲得遊技媒体が貯蓄されてなる貯蓄価値（いわゆる貯玉又は貯メダル）であっても良い。
【００７７】
上記の実施形態では、遊技場が、景品としての煙草を提供しない例について説明したが、これに限らず、該煙草を仕入れて管理し、景品として該煙草を提供するようにしても良く、この場合には、景品交換装置（ＰＯＳ端末１０）において、煙草購入用価値（電子マネー）のチャージか，又はその場での煙草との交換かの選択を受け付け、後者が選択された場合には、成人識別ＯＫである場合に、獲得価値と交換に景品として煙草を提供する。
【００７８】
上記の実施形態では、景品交換装置が、一般景品との交換が可能であると共に、煙草購入用価値（電子マネー）のチャージも可能である例について説明したが、これに限らず、該景品交換装置は、煙草購入用価値のチャージ（又は煙草との景品交換）のみが可能なものであっても良く、この場合には、当該景品交換装置と、一般景品との交換用のＰＯＳ端末とを併用すれば良い。
【００７９】
上記の実施形態では、図７のＳ３２に示すように、購入を希望する煙草に対応するバーコードを図４に示す煙草交換用バーコード表４から読み取ると、該読み取ったバーコードが内在するＪＡＮコードに対応付けて図６に示す景品ＤＢで記憶している交換媒体数が減算されて、該減算された交換媒体数に相当する電子マネーがチャージされる例について説明したが、これに限らず、購入を希望する煙草の販売額の入力を受け付けると、該販売額に対応する獲得価値が減算されて、該減算された獲得価値に相当する電子マネーがチャージされるようにしても良い。
【００８０】
上記の実施形態では、図７のＳ３５に示すように、チャージ媒体数の指定を受け付けると、該指定されたチャージ媒体数が減算されて、該減算されたチャージ媒体数に相当する電子マネーがチャージされる例について説明したが、これに限らず、チャージを希望するチャージ額の入力を受け付けると、該チャージ額に対応する獲得価値が減算されて、該減算された獲得価値に相当する電子マネーがチャージされるようにしても良い。
【００８１】
上記の実施形態では、図７に示すように、Ｓ３４又はＳ３７の減算処理が行われてから、Ｓ４２のチャージ処理が行われ、Ｓ４３又はＳ４４のチャージ価値情報送信処理が行われる例について説明したが、これら３つの処理が行われる順序は特に限定されない。
【００８２】
上記の実施形態では、図７のＳ４２に示すように、チャージ処理においてチャージされる煙草購入用価値が、電子マネーである例について説明したが、これに限らず、該煙草購入用価値は、煙草及び／又は煙草関連商品の購入にのみ使用可能なポイントであっても良い。
【００８３】
上記の実施形態では、図７のＳ４２に示すように、チャージ処理として、チャージ処理手段であるカードＲ／Ｗ１７が、成人識別記録媒体（成人識別カード２）を受け付けて（Ｓ４１）、該受け付けた成人識別記録媒体に煙草購入用価値（電子マネー）をチャージする例について説明したが、前述の如く、成人識別記録媒体が通信機能を有する携帯端末である場合には、通信部１１が、該携帯端末に対して煙草購入用価値をチャージするためのチャージ情報（例えば所定のＵＲＬをクリックすると電子マネーのチャージが実行される旨の情報）を送信し、カードＲ／Ｗ１７が成人識別記録媒体を受け付けなくても、該チャージ情報に基づいて成人識別記録媒体に煙草購入用価値がチャージされるようにしても良く、この場合には通信部１１がチャージ処理手段に相当する。
【００８４】
上記の実施形態では、図７のＳ４３に示すように、チャージ価値情報（第１チャージ額情報）が、景品交換装置（ＰＯＳ端末１０）から管理装置（電子マネーサーバ３０）に対して直接送信される例について説明したが、これに限らず、景品交換装置は、ＰＯＳ管理センタに設けられるＰＯＳ管理サーバに対してチャージ価値情報を送信し、該ＰＯＳ管理サーバが、電子マネーサーバ３０に対してチャージ価値情報を送信するようにしても良い。即ちチャージ価値情報送信手段である通信部１１は、チャージ価値情報を管理装置に送信するための処理を行うものであれば良い。この場合において、管理機関（電子マネー管理機関）から各遊技場に支払われる手数料は、ＰＯＳ管理センタが一括して徴収し、該ＰＯＳ管理センタが各遊技場に振り分けるようにしても良い。
【００８５】
上記の実施形態では、図７のＳ４３及びＳ４４に示すように、チャージ処理が行われる毎にチャージ価値情報（第１チャージ額情報，第２チャージ額情報）が送信される例について説明したが、これに限らず、チャージ処理が行われても直ちにチャージ価値情報を送信せずに景品交換装置（ＰＯＳ端末１０）において記憶しておき、該記憶されているチャージ価値情報が所定期間毎に送信されるようにしても良い。
【００８６】
上記の実施形態では、図８（ｂ）及び図９（ａ）に示すように、電子マネーサーバ３０及び遊技場管理装置２０のチャージ額ＤＢにおいて、カードＩＤとチャージ額とが対応付けて記憶される例について説明したが、これに限らず、図１１に示すように、販売額指定チャージについて、煙草の販売額毎に、当該販売額が選択された個数，当該販売額に個数を乗じたチャージ額，当該販売額に応じた手数料率，及びチャージ額に手数料率を乗じた手数料額が記憶されると共に、媒体数指定チャージについて、該媒体数指定チャージが行われた件数，該媒体数指定チャージによりチャージされた手数料率，該媒体数指定チャージに応じた手数料率，及びチャージ額に手数料率を乗じた手数料額が記憶されるようにしても良い。この場合において、各販売額に応じた手数料率，及び媒体数指定チャージに応じた手数料率は、任意の値を設定可能であり、図示の如く、各々の値が異なっていても良い。
【００８７】
この場合において、上記の実施形態の如く、電子マネーを使用していずれの銘柄の煙草であっても購入可能とするのではなく、例えば成人識別カード２において、チャージされた販売額を特定可能に（例えば販売額３００円を１０個分，販売額３６０円を５個分というように）電子マネーを記憶しておき、該チャージされた販売額の銘柄の煙草のみを購入可能とするようにしても良い。
【００８８】
上記の実施形態では、図８（ｃ）及び図９（ｂ）に示す決済ＤＢ，及び図１１に示すチャージ額ＤＢのように、チャージ額に手数料率を乗じて手数料額が算出される例について説明したが、これに限らず、チャージ処理が行われた計数に応じて手数料額が算出されるものであっても良い。
【図面の簡単な説明】
【００８９】
【図１】図１は本発明に係る景品交換システムの一例を表す機能ブロック図である。
【図２】図２は成人識別カードの一例を表す正面図である。
【図３】図３は計数レシートの一例を表す正面図である。
【図４】図４は煙草交換用バーコード表の一例を表す正面図である。
【図５】図５はＰＯＳ端末の一例を表す外観図である。
【図６】図６はＰＯＳ端末が記憶する景品ＤＢの記憶内容の一例を表す図である。
【図７】図７はＰＯＳ端末が行う景品交換処理の一例を表すフローチャートである。
【図８】図８は電子マネーサーバが記憶するＤＢの記憶内容の一例を表す図であり、（ａ）は電子マネーＤＢ，（ｂ）はチャージ額ＤＢ，（ｃ）は決済ＤＢである。
【図９】図９は遊技場管理装置が記憶するＤＢの記憶内容の一例を表す図であり、（ａ）はチャージ額ＤＢ，（ｂ）は決済ＤＢである。
【図１０】図１０は煙草自動販売機の一例を表す斜視図である。
【図１１】図１１は電子マネーサーバ及び遊技場管理装置が管理するチャージ額ＤＢの変形例を表す図である。
【符号の説明】
【００９０】
１…景品交換システム
２…成人識別カード
１０…ＰＯＳ端末
１１…通信部
１２…制御部
１７…カードＲ／Ｗ
２０…遊技場管理装置
３０…電子マネーサーバ
４０…煙草自動販売機
【図１】
2009254623.tif 000003
【図２】
2009254623.tif 000004
【図３】
2009254623.tif 000005
【図４】
2009254623.tif 000006
【図５】
2009254623.tif 000007
【図６】
2009254623.tif 000008
【図７】
2009254623.tif 000009
【図８】
2009254623.tif 000010
【図９】
2009254623.tif 000011
【図１０】
2009254623.tif 000012
【図１１】
2009254623.tif 000013